(57)【要約】【課題】無駄なプリント準備動作、すなわち、プリンタのウォームアップ動作を抑制することができる画像形成装置を提供する。【解決手段】ＡＤＦへの原稿セットやＦＢＳのカバーオープン等の原稿準備動作時の動作モードがコピーモードであって、ユーザが「直ちにウォームアップ開始」を選択している場合、ウォームアップを開始する（ステップ101〜103）。一方、ユーザが「所定時間後にウォームアップ開始」を選択していた場合には、ウォームアップ開始までの所定時間を読み出した後、原稿準備動作を検知してからこの所定時間、例えば３秒、が経過すればウォームアップを開始する（ステップ104、105）。また、３秒が経過する前に、コピー開始が指示された場合、ウォームアップを開始し、プリントを伴わないモードに変更された場合には、ウォームアップを中止する（ステップ106〜108）。【選択図】図４
2008139617.tif 000002
【特許請求の範囲】
【請求項１】
コピー機能とその他の機能を有する画像形成装置であって、
コピーモードと他の機能のモードとの間でモード変更を指示するモード変更指示手段と、
ユーザによる原稿準備動作が行われたことを検知する原稿準備検知手段と、
プリント準備動作を開始させる制御手段とを備え、
コピーモードに設定されている状態において、上記原稿準備検知手段がユーザによる原稿準備動作を検知した場合、上記制御手段が、原稿準備動作を検知してから所定時間が経過した後、プリント準備動作を開始させることを特徴とする画像形成装置。
【請求項２】
請求項１に記載された画像形成装置において、
上記所定時間経過前にコピー開始指示が入力された場合、上記制御手段が、その時点で直ちにプリント準備動作を開始させることを特徴とする画像形成装置。
【請求項３】
請求項１または請求項２に記載された画像形成装置において、
上記所定時間を任意に設定する手段を備えたことを特徴とする画像形成装置。
【請求項４】
請求項１〜請求項３のいずれかに記載された画像形成装置において、
上記その他の機能としてファクシミリ機能を含み、上記所定時間が経過するまでに上記モード変更指示手段によりファクシミリモードにモード変更された場合、上記制御手段が、プリント準備動作の開始を禁止することを特徴とする画像形成装置。
【請求項５】
請求項１〜請求項４のいずれかに記載された画像形成装置において、
上記その他の機能としてスキャン機能を含み、上記所定時間が経過するまでに上記モード変更指示手段によりスキャンモードにモード変更された場合、上記制御手段が、プリント準備動作の開始を禁止することを特徴とする画像形成装置。
【請求項６】
請求項１〜請求項５のいずれかに記載された画像形成装置において、
コピーモードに設定されている状態において、ユーザによる原稿準備動作が行われた場合に、直ちにプリント準備動作を開始させるか、あるいは、所定時間が経過してからプリント準備動作を開始させるかを選択する手段をさらに備え、選択された内容に従って上記制御手段がプリント準備動作開始の制御を切り替えることを特徴とする画像形成装置。
【請求項７】
コピー機能とその他の機能を有する画像形成装置であって、
コピーモードと他の機能のモードとの間でモード変更を指示するモード変更指示手段と、
ユーザによる原稿準備動作が行われたことを検知する原稿準備検知手段と、
プリント準備動作を開始させる制御手段とを備え、
コピーモードに設定されている状態において、上記原稿準備検知手段がユーザによる原稿準備動作を検知した場合、上記制御手段が、次のキー操作をトリガとしてプリント準備動作を開始させることを特徴とする画像形成装置。
【請求項８】
請求項７に記載された画像形成装置において、
コピーモードに設定されている状態において、ユーザによる原稿準備動作が行われた場合に、直ちにプリント準備動作を開始させるか、あるいは、次のキー操作をトリガとしてプリント準備動作を開始させるかを選択する手段をさらに備え、選択された内容に従って上記制御手段がプリント準備動作開始の制御を切り替えることを特徴とする画像形成装置。
【発明の詳細な説明】
【技術分野】
【０００１】
本発明は、画像形成装置、特に、コピー機能、スキャナ機能、ファクシミリ機能等の複数の機能を備えた画像形成装置に関する。
【背景技術】
【０００２】
プリント画像情報に対応させて記録紙に付着させたトナーを定着部で加熱することにより記録紙に定着させる電子写真方式の画像形成装置においては、プリント画像情報に基づいて変調された光により感光体に静電潜像を形成し、静電潜像の形成された感光体にトナーを付着して現像する。この感光体に付着されたトナーを記録紙に転写した後、トナーの付着された記録紙を定着ヒータにより加熱される定着ローラに搬送し、定着ローラによってトナーを記録紙に定着させるようにしている。
【０００３】
このような熱定着部を有する電子写真方式の画像形成装置では、近年、省エネルギーの要求が強まっており、特に、画像形成を実行していない待機状態での消費電力の低減が強く求められているため、画像形成を実行していない待機状態において省電力を図る省エネルギーモードを備えている。この省エネルギーモードでは、定着器への電力供給を停止することにより、消費電力の低減を図っている。
【０００４】
一方、コピー機能、スキャナ機能、ファクシミリ機能等の複数の機能を備えたデジタル複合機において、ファクシミリ受信動作やコピー動作等の記録動作が選択されてから定着ヒータへの通電を開始すると、定着器が所定の温度に到達して画像形成が可能になるまでに時間がかかり、例えばコピーを実行する場合、スタートボタンを押下してから１枚目のコピーが記録出力されるまでの時間が長くなってしまうので、このプリントが実行されるまでの時間を短縮することが望まれている。
【０００５】
このため、スタートボタンの押下等のジョブスタート指示が入力される前であっても、コピーモードに設定されている状態において、原稿がセットされたり、フラットベッドスキャナ（ＦＢＳ）のカバーが開けられたりした場合、コピーが開始される可能性があると判断し、プリント準備処理、すなわち、定着器の温度を所定温度まで上昇させるウォームアップ処理を開始することにより、プリント開始待ち時間を短縮するようにしている。
【０００６】
また、デジタル複合機においては、すべての機能が動作できるためのウォームアップあるいは予備動作を同時に実施することになり、さらに待機時間が長くなるため、選択されたジョブの画像出力待ち時間を短縮し、かつ、装置全体の電力容量の低下を実現するため、例えば、ファクシミリ送信の場合は、プリンタ部を動作させる必要がなく、定着器を含むプリンタ部をウォームアップする必要はないので、選択されたジョブに必要なウォームアップのみを選択実行することが提案されている（例えば、特許文献１参照）。
【特許文献１】特開２００５−２９７２６４号公報
【発明の開示】
【発明が解決しようとする課題】
【０００７】
上記のように、従来、コピーモードに設定されている状態において、原稿がセットされたり、ＦＢＳのカバーが開けられたりした場合、プリント準備処理を開始するようにしているが、例えば、コピーモードに設定されている状態でファクシミリ送信したい場合、ファクシミリモードへのモード変更指示を行ってから原稿をセットすれば、プリント準備動作が実行されることはないが、モード変更指示を行う前に原稿をセットした場合、原稿をセットした時点でプリント準備動作が開始されてしまう。
その後、モード変更指示があると、プリント準備動作を停止する必要があり、結果的に無駄なプリント準備動作が行われることになる。このような無駄なプリント準備動作により、無駄な電力が消費されるとともに、プリント準備動作による騒音も発生する、という問題が生じる。
【０００８】
本発明は、上記の問題に鑑みてなされたもので、無駄なプリント準備動作を抑制することができる画像形成装置を提供することを目的とする。
【課題を解決するための手段】
【０００９】
上述の目的を達成するため、請求項１に係る発明の画像形成装置は、コピー機能とその他の機能を有する画像形成装置であって、コピーモードと他の機能のモードとの間でモード変更を指示するモード変更指示手段と、ユーザによる原稿準備動作が行われたことを検知する原稿準備検知手段と、プリント準備動作を開始させる制御手段とを備え、コピーモードに設定されている状態において、上記原稿準備検知手段がユーザによる原稿準備動作を検知した場合、上記制御手段が、原稿準備動作を検知してから所定時間が経過した後、プリント準備動作を開始させることを特徴とする。
【００１０】
また、請求項２に係る発明の画像形成装置は、請求項１に記載された画像形成装置において、上記所定時間経過前にコピー開始指示が入力された場合、上記制御手段が、その時点で直ちにプリント準備動作を開始させることを特徴とし、
請求項３に係る発明の画像形成装置は、請求項１または請求項２に記載された画像形成装置において、上記所定時間を任意に設定する手段を備えたことを特徴とする。
【００１１】
さらに、請求項４に係る発明の画像形成装置は、請求項１〜請求項３のいずれかに記載された画像形成装置において、上記その他の機能としてファクシミリ機能を含み、上記所定時間が経過するまでに上記モード変更指示手段によりファクシミリモードにモード変更された場合、上記制御手段が、プリント準備動作の開始を禁止することを特徴とし、
請求項５に係る発明の画像形成装置は、請求項１〜請求項４のいずれかに記載された画像形成装置において、上記その他の機能としてスキャン機能を含み、上記所定時間が経過するまでに上記モード変更指示手段によりスキャンモードにモード変更された場合、上記制御手段が、プリント準備動作の開始を禁止することを特徴とする。
【００１２】
また、請求項６に係る発明の画像形成装置は、請求項１〜請求項５のいずれかに記載された画像形成装置において、コピーモードに設定されている状態において、ユーザによる原稿準備動作が行われた場合に、直ちにプリント準備動作を開始させるか、あるいは、所定時間が経過してからプリント準備動作を開始させるかを選択する手段をさらに備え、選択された内容に従って上記制御手段がプリント準備動作開始の制御を切り替えることを特徴とする。
【００１３】
さらに、請求項７に係る発明の画像形成装置は、コピー機能とその他の機能を有する画像形成装置であって、コピーモードと他の機能のモードとの間でモード変更を指示するモード変更指示手段と、ユーザによる原稿準備動作が行われたことを検知する原稿準備検知手段と、プリント準備動作を開始させる制御手段とを備え、コピーモードに設定されている状態において、上記原稿準備検知手段がユーザによる原稿準備動作を検知した場合、上記制御手段が、次のキー操作をトリガとしてプリント準備動作を開始させることを特徴とする。
【００１４】
また、請求項８に係る発明の画像形成装置は、請求項７に記載された画像形成装置において、コピーモードに設定されている状態において、ユーザによる原稿準備動作が行われた場合に、直ちにプリント準備動作を開始させるか、あるいは、次のキー操作をトリガとしてプリント準備動作を開始させるかを選択する手段をさらに備え、選択された内容に従って上記制御手段がプリント準備動作開始の制御を切り替えることを特徴とする。
【発明の効果】
【００１５】
請求項１、請求項４、請求項５に係る発明の画像形成装置によれば、少なくともコピー機能を備えるとともに、ファクシミリ機能やスキャン機能等の他の機能を備えた画像形成装置において、オートドキュメントフィーダー（ＡＤＦ）への原稿セットやフラットベッドスキャナ（ＦＢＳ）のカバーオープン等のユーザによる原稿準備動作が行われた場合、その原稿準備動作から所定時間が経過した後、プリント準備動作、すなわち、定着器のウォームアップが開始され、その間にファクシミリモードやスキャンモードに切り替えられた場合には、プリント準備動作が行われないので、無駄なプリント準備動作を抑制することができる。
【００１６】
また、請求項２に係る発明の画像形成装置によれば、原稿準備動作から所定時間が経過する前にユーザがコピー開始を指示すると、その時点で直ちにプリント準備動作が開始されるので、コピーを迅速に行うことができる。
さらに、請求項３に係る発明の画像形成装置によれば、原稿準備動作からプリント準備動作を開始するまでの所定時間をユーザが任意に設定することができるので、使い勝手と消費電力を考慮しつつ、最適な所定時間にユーザが設定することができる。
【００１７】
また、請求項６に係る発明の画像形成装置によれば、ユーザによる原稿準備動作が行われた場合に、直ちにプリント準備動作を開始させるか、あるいは、所定時間が経過してからプリント準備動作を開始させるかをユーザが選択することができるので、使い勝手と消費電力を考慮しつつ、ユーザがプリント準備動作開始条件を切り替えることが可能となる。
【００１８】
さらに、請求項７に係る発明の画像形成装置によれば、少なくともコピー機能を備えるとともに、ファクシミリ機能やスキャン機能等の他の機能を備えた画像形成装置において、オートドキュメントフィーダー（ＡＤＦ）への原稿セットやフラットベッドスキャナ（ＦＢＳ）のカバーオープン等のユーザによる原稿準備動作が行われた場合、その原稿準備動作後の、コピー開始指示等のキー操作をトリガとしてプリント準備動作が開始され、キー操作の前にファクシミリモードやスキャンモードに切り替えられた場合には、プリント準備動作が行われないので、無駄なプリント準備動作を抑制することができる。
【００１９】
また、請求項８に係る発明の画像形成装置によれば、ユーザによる原稿準備動作が行われた場合に、直ちにプリント準備動作を開始させるか、あるいは、キー操作をトリガとしてプリント準備動作を開始させるかをユーザが設定することができるので、上記と同様に、使い勝手と消費電力を考慮しつつ、ユーザがプリント準備動作開始条件を切り替えることが可能となる。
【実施例１】
【００２０】
以下、本発明の画像形成装置をコピー機能、ファクシミリ機能、プリント機能、スキャナ機能等を有するデジタル複合機に適用した実施例について説明する。
図１はデジタル複合機のハードウェア構成を示す概略ブロック図であり、図に示すように、このデジタル複合機は、ＣＰＵ１、ＲＯＭ（Read Only Memory）２、ＲＡＭ（Random Access Memory）３、表示・操作部４、読取部５、画像メモリ６、記録部７、コーデック８、モデム９、ネットワーク制御ユニットＮＣＵ１０及びＬＡＮインターフェース（Ｉ／Ｆ）１１から構成され、各部がバス１２を介して接続されている。
【００２１】
ＣＰＵ１はバス１２を介してデジタル複合機のハードウェア各部を制御するとともに、ＲＯＭ２に記憶されたプログラムに基づいて各種のプログラムを実行し、ＲＯＭ２はデジタル複合機の動作に必要な種々のプログラムや操作メッセージ等を予め記憶している。また、ＲＡＭ３はＳＲＡＭ等で構成され、プログラムの実行時に発生する一時的なデータや定着器のウォームアップ開始条件等を記憶する。
【００２２】
表示・操作部４は、デジタル複合機１の動作状態を表示したり、種々の機能の操作画面の表示を行う表示部と、デジタル複合機を操作するための複数のキーよりなり、図２に示すように、表示部を構成するＬＣＤ表示部２１と多数の操作キーから構成されている。ＬＣＤ表示部２１には、タッチパネルスイッチが配設され、ＬＣＤ表示部２１に表示された項目部分を押下することで、対応する項目の選択や機能の実行を行うことができる。
【００２３】
また、操作キーとして、テンキー２２、スタートキー２３、リセットキー２４、ストップキー２５、複数のワンタッチダイヤルキー２６、十字キー２７、リターンキー２８、セットキー２９、ＦＡＸ切替キー３０、コピー切替キー３１、スキャナ切替キー３２等の各種キーが設けられている。なお、ＬＣＤ表示部２１によりこれらの操作キーの一部又は全部を代用することも可能である。
【００２４】
読取部５はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力するものであり、ＡＤＦへの原稿セットを検出する原稿検知センサ１３とＦＢＳのカバーオープンを検出するカバーオープン検知センサ１４を備えている。
【００２５】
また、画像メモリ６は、ＤＲＡＭ等を用いて構成され、送信すべき画像データまたは受信した画像データあるいは読取部５で読み取った画像データを記憶する。
記録部７は電子写真方式のプリンタ装置を備え、受信したデータ、コピー原稿データあるいは外部のパソコン等から送信されたプリントデータをプリントアウトするものであり、上記のようにプリント時に所定温度まで温度が上昇させられる定着器を備えている。
【００２６】
コーデック８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２７】
モデム９はバス１２に接続されており、ファクシミリ通信が可能なファクスモデムとしての機能を有し、このモデム９は同様にバス１２に接続されたＮＣＵ１０と接続されている。ＮＣＵ１０はアナログ回線の閉結及び開放の動作を行うハードウェアであり、必要に応じてモデム９を公衆交換電話網（ＰＳＴＮ）に接続する。
ＬＡＮインターフェース１１はＬＡＮ（Local Area Network）に接続され、ＬＡＮからの信号を受信する一方、ＬＡＮに対して信号やデータを送信するものであり、信号変換やプロトコル変換などのインターフェース処理を実行する。
【００２８】
デジタル複合機は上記のような構成を備えており、ファクシミリ送信時には、原稿の画像データが読取部５で読み取られ、コーデック８で圧縮されて画像メモリ６に蓄積される。この圧縮された画像データが画像メモリ６から読み出されてモデム９で変調され、ＮＣＵ１０からＰＳＴＮを通して通信相手先に送信される。また、ファクシミリ受信時には、受信した画像データがモデム９で復調され、画像メモリ６に蓄積された後、コーデック８で復号されて記録部７により印刷される。
【００２９】
次に、このデジタル複合機に対してユーザが、プリント準備動作、すなわち、定着器のウォームアップ開始制御の条件を設定する場合の作業について説明する。
ユーザが表示・操作部４のＬＣＤ表示部２１の表示画面に表示された機能選択項目の中からプリント準備動作開始制御を選択すると、ＬＣＤ表示部２１に図３に示すプリント準備動作開始設定画面が表示される。
【００３０】
このプリント準備動作開始設定画面では、ＡＤＦへの原稿セットやＦＢＳのカバーオープン等のユーザによる原稿準備動作が行われた場合、直ちにウォームアップを開始するか、所定時間後にウォームアップを開始するかを選択することができ、「直ちにウォームアップ開始」、「所定時間後にウォームアップ開始」のいずれかを押下することにより、押下された側が反転表示されるので、選択したことをユーザが認識することができる。
また、「所定時間後にウォームアップ開始」を選択した場合、所定時間を入力する部分にカーソルが表示されるので、テンキー２２を使用することにより、任意の秒数（既定値：３）を設定することができる。
【００３１】
そして、ユーザが「直ちにウォームアップ開始」または「所定時間後にウォームアップ開始」のいずれかを選択した後、プリント準備動作開始設定画面の「ＯＫ」を押下すると、ＣＰＵ１は、ユーザが選択したウォームアップ開始条件をＲＡＭ３に記憶するとともに、「所定時間後にウォームアップ開始」が選択された場合には、ユーザの設定した時間をＲＡＭ３に記憶する。
【００３２】
上記のようにウォームアップ開始条件が設定された状態で、ユーザが原稿準備動作を行った場合のＣＰＵ１の作用を図４のフローチャートにより説明する。
原稿検知センサ１３またはカバーオープン検知センサ１４の検知出力によりＡＤＦへの原稿セットやＦＢＳのカバーオープン等の原稿準備動作が行われたと判定した場合、ＣＰＵ１は図４のフローチャートに示すウォームアップ開始制御プログラムを開始し、まず、その時点の動作モードがコピーモードか否かを判定し（ステップ１０１）、その時点の動作モードがファクシミリモードやスキャンモードなどのプリントを伴わないモードであると判定した場合、ウォームアップ開始制御プログラムを終了する。
【００３３】
ステップ１０１でその時点の動作モードがコピーモードであると判定した場合、ＣＰＵ１は、ＲＡＭ３に記憶されているウォームアップ開始条件を参照することにより、ユーザが「直ちにウォームアップ開始」を選択しているか否かを判定し（ステップ１０２）、ユーザが「直ちにウォームアップ開始」を選択していた場合には、ウォームアップを開始した（ステップ１０３）後、ウォームアップ開始制御プログラムを終了する。
【００３４】
一方、ユーザがウォームアップ開始条件として「所定時間後にウォームアップ開始」を選択していた場合には、ＣＰＵ１は、ＲＡＭ３に記憶されているユーザが設定したウォームアップ開始までの所定時間を読み出した（ステップ１０４）後、原稿準備動作を検知してから上記の所定時間、例えば３秒、が経過したか否かを判定する（ステップ１０５）。
【００３５】
ステップ１０５で原稿準備動作を検知してから３秒が経過していないと判定した場合、ＣＰＵ１は、表示・操作部４のスタートキー２３が押下されたか否かを判断することにより、ユーザによりコピー開始が指示されたか否かを判定し（ステップ１０６）、コピー開始指示があったと判定した場合、ウォームアップを開始し（ステップ１０３）、ウォームアップ開始制御プログラムを終了する。
【００３６】
また、ステップ１０６でコピー開始指示がないと判定した場合、ＣＰＵ１は、ＦＡＸ切替キー３０またはスキャナ切替キー３２が押下されたか否かを判断することにより、プリントを伴わないモードに変更されたか否かを判定し（ステップ１０７）、プリントを伴わないモードに変更されたと判定した場合、ウォームアップを中止した（ステップ１０８）後、ウォームアップ開始制御プログラムを終了する。
【００３７】
一方、ステップ１０７でプリントを伴わないモードに変更されていないと判定した場合、ＣＰＵ１はステップ１０５に戻り、再び、原稿準備動作を検知してから３秒が経過したか否かを判定する。
そして、ステップ１０５で原稿準備動作を検知してから３秒が経過したと判定した場合、ウォームアップを開始した（ステップ１０３）後、ウォームアップ開始制御プログラムを終了する。
【００３８】
以上のように、ＡＤＦへの原稿セットやＦＢＳのカバーオープン等のユーザによる原稿準備動作が行われた場合、その原稿準備動作から所定時間が経過した後、ウォームアップが開始され、その間にファクシミリモードやスキャンモードに切り替えられた場合には、ウォームアップが行われないので、無駄なウォームアップを抑制することができる。
【００３９】
また、原稿準備動作から所定時間が経過する前にユーザがコピー開始を指示すると、その時点で直ちにウォームアップが開始されるので、コピーを迅速に行うことができ、さらに、原稿準備動作からウォームアップを開始するまでの所定時間をユーザが任意に設定することができるので、使い勝手と消費電力を考慮しつつ、最適な所定時間にユーザが設定することができる。
【００４０】
なお、上記の実施例では、原稿準備動作が行われた場合、直ちにウォームアップを開始するか、所定時間経過後にウォームアップを開始するかをユーザが選択できるようにしたが、制御を簡略化するため、ユーザに選択させることなく、原稿準備動作が行われた場合、常に、所定時間経過後にウォームアップを開始するようにすることも可能である。
また、上記の実施例では、原稿準備動作後、ウォームアップを開始するまでの時間をユーザが設定できるようにしたが、ウォームアップを開始するまでの時間を、例えば、３秒に固定し、ユーザが設定できないようにしてもよい。
【実施例２】
【００４１】
上記の実施例では、原稿準備動作から所定時間が経過した後、ウォームアップを開始するようにしたが、原稿準備動作後にユーザによって行われる、コピー開始指示等のモード切替以外のキー操作をトリガとしてウォームアップを開始することもでき、以下、原稿準備動作後のキー操作をトリガとしてウォームアップを開始する実施例について説明する。
なお、本実施例におけるデジタル複合機の構成は、図１、図２に示すデジタル複合機の構成と同様であるので、説明は省略する。
【００４２】
本実施例において、ユーザが表示・操作部４のＬＣＤ表示部２１の表示画面に表示された機能選択項目の中からプリント準備動作開始制御を選択すると、ＬＣＤ表示部２１に図５に示すプリント準備動作開始設定画面が表示される。
このプリント準備動作開始設定画面では、ＡＤＦへの原稿セットやＦＢＳのカバーオープン等のユーザによる原稿準備動作が行われた場合、直ちにウォームアップを開始するか、ユーザのキー操作によりウォームアップを開始するかを選択することができ、「直ちにウォームアップ開始」、「キー操作によりウォームアップ開始」のいずれかを押下することにより、押下された側が反転表示されるので、選択したことをユーザが認識することができる。
【００４３】
そして、ユーザが「直ちにウォームアップ開始」または「キー操作によりウォームアップ開始」のいずれかを選択した後、プリント準備動作開始設定画面の「ＯＫ」を押下すると、ＣＰＵ１は、ユーザが選択したウォームアップ開始条件をＲＡＭ３に記憶する。
【００４４】
上記のようにウォームアップ開始条件が設定された状態で、ユーザが原稿準備動作を行った場合のＣＰＵ１の作用を図６のフローチャートにより説明する。
原稿検知センサ１３またはカバーオープン検知センサ１４の検知出力によりＡＤＦへの原稿セットやＦＢＳのカバーオープン等の原稿準備動作が行われたと判定した場合、ＣＰＵ１は図６のフローチャートに示すウォームアップ開始制御プログラムを開始し、まず、その時点の動作モードがコピーモードか否かを判定し（ステップ２０１）、その時点の動作モードがファクシミリモードやスキャンモードなどのプリントを伴わないモードであると判定した場合、ウォームアップ開始制御プログラムを終了する。
【００４５】
ステップ２０１でその時点の動作モードがコピーモードであると判定した場合、ＣＰＵ１は、ＲＡＭ３に記憶されているウォームアップ開始条件を参照することにより、ユーザが「直ちにウォームアップ開始」を選択しているか否かを判定し（ステップ２０２）、ユーザが「直ちにウォームアップ開始」を選択していた場合には、ウォームアップを開始した（ステップ２０３）後、ウォームアップ開始制御プログラムを終了する。
【００４６】
一方、ユーザがウォームアップ開始条件として「キー操作によりウォームアップ開始」を選択していた場合には、ＣＰＵ１は、モード切替以外のキー操作があったか否かを判定し（ステップ２０４）、表示・操作部４のスタートキー２３あるいはテンキー２２等が押下されたと判定した場合、ウォームアップを開始した（ステップ２０３）後、ウォームアップ開始制御プログラムを終了する。
【００４７】
また、ステップ２０４でモード切替以外のキー操作がないと判定した場合、ＣＰＵ１は、原稿準備動作を検知してから３秒が経過したか否かを判定し（ステップ２０５）、原稿準備動作を検知してから３秒が経過したと判定した場合、ウォームアップを開始した（ステップ２０３）後、ウォームアップ開始制御プログラムを終了する。
【００４８】
一方、ステップ２０５で原稿準備動作を検知してから３秒が経過していないと判定した場合、ＣＰＵ１は、ＦＡＸ切替キー３０またはスキャナ切替キー３２が押下されたか否かを判断することにより、プリントを伴わないモードに変更されたか否かを判定し（ステップ２０６）、プリントを伴わないモードに変更されたと判定した場合、ウォームアップを中止した（ステップ２０７）後、ウォームアップ開始制御プログラムを終了する。
そして、ステップ２０６でプリントを伴わないモードに変更されていないと判定した場合、ＣＰＵ１はステップ２０４に戻り、再び、モード切替以外のキー操作があったか否かを判定する。
【００４９】
以上のように、ＡＤＦへの原稿セットやＦＢＳのカバーオープン等のユーザによる原稿準備動作が行われた場合、その原稿準備動作後のコピー開始指示等のキー操作をトリガとしてウォームアップが開始され、キー操作の前にファクシミリモードやスキャンモードに切り替えられた場合には、ウォームアップが行われないので、無駄なウォームアップを抑制することができる。
【００５０】
また、ユーザによる原稿準備動作が行われた場合に、直ちにウォームアップを開始させるか、あるいは、キー操作をトリガとしてウォームアップを開始させるかをユーザが選択することができるので、使い勝手と消費電力を考慮しつつ、ユーザがウォームアップの開始条件を切り替えることが可能となる。
【００５１】
なお、上記の実施例では、原稿準備動作が行われた場合、直ちにウォームアップを開始するか、キー操作によりウォームアップを開始するかをユーザが選択できるようにしたが、制御を簡略化するため、上記と同様に、ユーザに選択させることなく、原稿準備動作が行われた場合、常に、キー操作によりウォームアップを開始するようにすることも可能である。
【図面の簡単な説明】
【００５２】
【図１】デジタル複合機のハードウェア構成を示すブロック図である。
【図２】表示・操作部の詳細構成を示す図である。
【図３】プリント準備動作開始設定画面の一例を示す図である。
【図４】ウォームアップ開始制御プログラムの作用を示すフローチャートである。
【図５】他の実施例のプリント準備動作開始設定画面の一例を示す図である。
【図６】他の実施例のウォームアップ開始制御プログラムの作用を示すフローチャートである。
【符号の説明】
【００５３】
１  ＣＰＵ
２  ＲＯＭ
３  ＲＡＭ
４  表示・操作部
５  読取部
６  画像メモリ
７  記録部
８  コーデック
９  モデム
１０  ＮＣＵ
１１  ＬＡＮ  Ｉ／Ｆ
１２  バス
１３  原稿検知センサ
１４  カバーオープン検知センサ
【図１】
2008139617.tif 000003
【図２】
2008139617.tif 000004
【図３】
2008139617.tif 000005
【図４】
2008139617.tif 000006
【図５】
2008139617.tif 000007
【図６】
2008139617.tif 000008